(57)【特許請求の範囲】
【請求項１】
画像形成装置と、前記画像形成装置を遠隔操作することが可能な情報処理装置とを含む画像形成システムであって、
前記画像形成装置は、
前記情報処理装置に遠隔操作画面を送信する遠隔操作画面送信手段と、
前記情報処理装置から前記遠隔操作画面により定まる指示を受信する遠隔操作受信手段と、
前記受信された指示に従って処理を実行する遠隔操作実行手段と、
認証情報を入力する画面を含む認証用の遠隔操作画面を送信した後に前記情報処理装置から受信される認証情報に基づいて、前記情報処理装置を操作するユーザーを認証する遠隔操作認証手段と、
前記遠隔操作認証手段により前記情報処理装置を操作するユーザーが認証された後に、所定の条件が成立すると、前記情報処理装置に通信を切断することを通知した後、前記情報処理装置との通信を終了する一時停止手段と、を備え、
前記情報処理装置は、
前記画像形成装置から遠隔操作画面が受信されることに応じて前記遠隔操作画面を表示し、前記遠隔操作画面に従って操作が受け付けられることに応じて前記受け付けられた操作に対応する指示を前記画像形成装置に送信する遠隔制御手段と、
前記遠隔制御手段により前記認証用の遠隔操作画面が表示され、前記認証用の遠隔操作画面に従って前記情報処理装置を操作するユーザーにより入力される認証情報が受け付けられる場合、前記受け付けられた認証情報を一時記憶する一時記憶手段と、
前記遠隔制御手段により前記遠隔操作画面が表示されている状態で、前記画像形成装置から通信を切断することが通知された後に所定の操作が受け付けられることに応じて、前記一時記憶手段により記憶された認証情報を前記画像形成装置に送信する復帰指示手段と、を備えた、画像形成システム。
【請求項２】
前記画像形成装置は、さらに、
通常モードと、前記通常モードよりも消費電力の小さい省電力モードとのいずれかに動作モードを切り換える動作モード切換手段を、備え、
前記一時停止手段は、前記動作モード切換手段により前記通常モードから前記省電力モードに動作モードが切り換えられる場合、前記所定の条件が成立したと判断する、請求項１に記載の画像形成システム。
【請求項３】
前記一時停止手段は、前記情報処理装置から所定時間継続してデータを受信しない場合、前記所定の条件が成立したと判断する、請求項１または２に記載の画像形成システム。
【請求項４】
前記情報処理装置は、さらに、前記通信を切断することが通知される場合、前記表示されている遠隔操作画面の一部に予め定められたスリープ画面を表示するスリープ通知手段を含む、請求項１〜３のいずれかに記載の画像形成システム。
【請求項５】
前記画像形成装置は、さらに、前記情報処理装置に通信を切断することを通知する場合、予め定められたスリープ画面を含む遠隔操作画面を生成するスリープ画面生成手段を含む、請求項１〜３のいずれかに記載の画像形成システム。
【請求項６】
前記画像形成装置または前記情報処理装置のいずれかは、
前記画像形成装置と前記情報処理装置との間の通信を終了する直前に送信または受信された遠隔操作画面と前記情報処理装置を操作するユーザーの認証情報とを関連付ける直前画面関連付手段を備え、
前記画像形成装置は、前記情報処理装置から受信される認証情報に従って前記遠隔操作認証手段による認証が成功する場合、前記情報処理装置から受信される認証情報と同じ認証情報と前記直前画面関連付手段によって関連付けられた前記遠隔操作画面を前記情報処理装置に送信する復帰手段を含む、請求項１〜５のいずれかに記載の画像形成システム。
【請求項７】
前記遠隔操作画面は、前記画像形成装置が備える複数の操作キーそれぞれに対応する複数のキー画像を含み、
前記復帰指示手段は、前記複数の操作キーのうち予め定められた操作キーに対応するキー画像がユーザーにより指示されることに応じて、前記所定の操作を検出する、請求項１〜６のいずれかに記載の画像形成システム。
【請求項８】
前記情報処理装置は、ユーザーによる操作を受け付ける操作受付手段を、さらに備え、
前記復帰指示手段は、前記通信を切断することが通知された後に前記操作受付手段により任意の操作が入力されることに応じて、前記所定の操作を検出する、請求項１〜６のいずれかに記載の画像形成システム。
【請求項９】
画像形成装置と、前記画像形成装置を遠隔操作することが可能な情報処理装置とを含む画像形成システムで実行される遠隔制御方法であって、
前記画像形成装置に、
前記情報処理装置に遠隔操作画面を送信する遠隔操作画面送信ステップと、
前記情報処理装置から前記遠隔操作画面により定まる指示を受信する遠隔操作受信ステップと、
前記受信された指示に従って処理を実行する遠隔操作実行ステップと、
認証情報を入力する画面を含む認証用の遠隔操作画面を送信した後に前記情報処理装置から受信される認証情報に基づいて、前記情報処理装置を操作するユーザーを認証する遠隔操作認証ステップと、
前記遠隔操作認証ステップにおいて前記情報処理装置を操作するユーザーが認証された後に、所定の条件が成立すると、前記情報処理装置に通信を切断することを通知した後、前記情報処理装置との通信を終了する一時停止ステップと、を実行させ、
前記情報処理装置に、
前記画像形成装置から遠隔操作画面が受信されることに応じて前記遠隔操作画面を表示し、前記遠隔操作画面に従って操作が受け付けられることに応じて前記受け付けられた操作に対応する指示を前記画像形成装置に送信する遠隔制御ステップと、
前記遠隔制御ステップにおいて前記認証用の遠隔操作画面が表示され、前記認証用の遠隔操作画面に従って前記情報処理装置を操作するユーザーにより入力される認証情報が受け付けられる場合、前記受け付けられた認証情報を一時記憶する一時記憶ステップと、
前記遠隔制御ステップにおいて前記遠隔操作画面が表示されている状態で、前記画像形成装置から通信を切断することが通知された後に所定の操作が受け付けられることに応じて、前記一時記憶ステップにおいて記憶された認証情報を前記画像形成装置に送信する復帰指示ステップと、を実行させる、遠隔制御方法。
【請求項１０】
前記画像形成装置に、さらに、
通常モードと、前記通常モードよりも消費電力の小さい省電力モードとのいずれかに動作モードを切り換える動作モード切換ステップを実行させ、
前記一時停止ステップは、前記動作モード切換ステップにおいて前記通常モードから前記省電力モードに動作モードが切り換えられる場合、前記所定の条件が成立したと判断するステップを含む、請求項９に記載の遠隔制御方法。
【請求項１１】
前記一時停止ステップは、前記情報処理装置から所定時間継続してデータを受信しない場合、前記所定の条件が成立したと判断するステップを含む、請求項９または１０に記載の遠隔制御方法。
【請求項１２】
前記情報処理装置に、さらに、前記通信を切断することが通知される場合、前記表示されている遠隔操作画面の一部に予め定められたスリープ画面を表示するスリープ通知ステップを、実行させる、請求項９〜１１のいずれかに記載の遠隔制御方法。
【請求項１３】
前記画像形成装置に、さらに、前記情報処理装置に通信を切断することを通知する場合、予め定められたスリープ画面を含む遠隔操作画面を生成するスリープ画面生成ステップを、さらに実行させる、請求項９〜１１のいずれかに記載の遠隔制御方法。
【請求項１４】
前記画像形成装置または前記情報処理装置のいずれかに、
前記画像形成装置と前記情報処理装置との間の通信を終了する直前に送信または受信された遠隔操作画面と前記情報処理装置を操作するユーザーの認証情報とを関連付ける直前画面関連付ステップを、さらに実行させ、
前記画像形成装置に、前記情報処理装置から受信される認証情報に従って前記遠隔操作認証ステップにおける認証が成功する場合、前記情報処理装置から受信される認証情報と同じ認証情報と前記直前画面関連付ステップにおいて関連付けられた前記遠隔操作画面を前記情報処理装置に送信する復帰ステップを、さらに実行させる、請求項９〜１３のいずれかに記載の遠隔制御方法。
【請求項１５】
前記遠隔操作画面は、前記画像形成装置が備える複数の操作キーそれぞれに対応する複数のキー画像を含み、
前記復帰指示ステップは、前記複数の操作キーのうち予め定められた操作キーに対応するキー画像がユーザーにより指示されることに応じて、前記所定の操作を検出するステップを含む、請求項９〜１４のいずれかに記載の遠隔制御方法。
【請求項１６】
前記情報処理装置に、ユーザーによる操作を受け付ける操作受付ステップを、さらに実行させ、
前記復帰指示ステップは、前記通信を切断することが通知された後に前記操作受付ステップにおいて任意の操作が入力されることに応じて、前記所定の操作を検出するステップを含む、請求項９〜１４のいずれかに記載の遠隔制御方法。

【発明の詳細な説明】
【技術分野】
【０００１】
この発明は、画像形成システムおよび遠隔制御方法に関し、特に、画像形成装置と情報処理装置とを含む画像形成システム、その画像形成システムで実行される遠隔制御方法に関する。
【背景技術】
【０００２】
近年の複合機（以下「ＭＦＰ」という）等の画像形成装置を、ネットワークに接続された携帯情報装置から遠隔操作するシステムが開発されている（例えば、特許文献１）。この技術においては、携帯情報装置とＭＦＰとの間で、ネットワークを介した通信が確立される。一方、ＭＦＰは、消費電力を抑えるために、通常モードで駆動する場合と、通常モードよりも消費電力の小さい省電力モードで駆動する場合とに動作モードを切り換える機能を有する。ＭＦＰが省電力モードに動作モードを切り換える場合に、携帯情報装置との間で確立された通信が切断される場合がある。また、ネットワーク資源を有効に利用する観点から、携帯情報装置とＭＦＰとの間の通信が所定時間発生しない場合は、通信を切断する場合がある。
【０００３】
このように、携帯情報装置において、ＭＦＰを遠隔操作するために確立していた通信が切断される場合、携帯情報装置のユーザーは、再度ＭＦＰとの間の通信を確立するために、パスワードの入力等の操作をしなければならないといった問題があった。
【特許文献１】特開２００７−３００４８０号公報
【発明の概要】
【発明が解決しようとする課題】
【０００４】
この発明は上述した問題点を解決するためになされたもので、この発明の目的の一つは、画像形成装置の遠隔操作を容易にした画像形成システムを提供することである。
【０００５】
この発明の他の目的は、画像形成装置の遠隔操作を容易にした遠隔制御方法を提供することである。
【課題を解決するための手段】
【０００６】
上述した目的を達成するためにこの発明のある局面によれば、画像形成システムは、画像形成装置と、画像形成装置を遠隔操作することが可能な情報処理装置とを含む画像形成システムであって、画像形成装置は、情報処理装置に遠隔操作画面を送信する遠隔操作画面送信手段と、情報処理装置から遠隔操作画面により定まる指示を受信する遠隔操作受信手段と、受信された指示に従って処理を実行する遠隔操作実行手段と、認証情報を入力する画面を含む認証用の遠隔操作画面を送信した後に情報処理装置から受信される認証情報に基づいて、情報処理装置を操作するユーザーを認証する遠隔操作認証手段と、遠隔操作認証手段により情報処理装置を操作するユーザーが認証された後に、所定の条件が成立すると、情報処理装置に通信を切断することを通知した後、情報処理装置との通信を終了する一時停止手段と、を備え、情報処理装置は、画像形成装置から遠隔操作画面が受信されることに応じて遠隔操作画面を表示し、遠隔操作画面に従って操作が受け付けられることに応じて受け付けられた操作に対応する指示を画像形成装置に送信する遠隔制御手段と、遠隔制御手段により認証用の遠隔操作画面が表示され、認証用の遠隔操作画面に従って情報処理装置を操作するユーザーにより入力される認証情報が受け付けられる場合、受け付けられた認証情報を一時記憶する一時記憶手段と、遠隔制御手段により遠隔操作画面が表示されている状態で、画像形成装置から通信を切断することが通知された後に所定の操作が受け付けられることに応じて、一時記憶手段により記憶された認証情報を画像形成装置に送信する復帰指示手段と、を備える。
【０００７】
この局面に従えば、画像形成装置は、認証用の遠隔操作画面が送信された後に情報処理装置を操作するユーザーを認証し、ユーザーが認証された後に、所定の条件が成立すると、情報処理装置に通信を切断することを通知した後、情報処理装置との通信を終了する。一方、情報処理装置は、認証用の遠隔操作画面に従って情報処理装置を操作するユーザーにより入力される認証情報を受け付ける場合、認証情報を一時記憶し、遠隔操作画面が表示されている状態で、画像形成装置から通信を切断することが通知された後に所定の操作が受け付けられることに応じて、記憶された認証情報を画像形成装置に送信する。このため、情報処理装置で認証情報を入力した後の遠隔操作中に、画像形成装置が通信を切断する場合、情報処理装置に所定の操作が入力されると、認証情報を送信するので、認証用の遠隔操作画面を表示する必要がなく、情報処理装置に認証情報を再度入力する必要がない。このため、画像形成装置の遠隔操作を容易にした画像形成システムを提供することができる。
【０００８】
好ましくは、画像形成装置は、さらに、通常モードと、通常モードよりも消費電力の小さい省電力モードとのいずれかに動作モードを切り換える動作モード切換手段を、備え、一時停止手段は、動作モード切換手段により通常モードから省電力モードに動作モードが切り換えられる場合、所定の条件が成立したと判断する。
【０００９】
この局面に従えば、画像形成装置は、通常モードから省電力モードに動作モードを切り換える場合、情報処理装置に通信を切断することを通知した後、情報処理装置との通信を終了する。このため、画像形成装置が省電力モードに切り換えた後の遠隔操作を容易にすることができる。
【００１０】
好ましくは、一時停止手段は、情報処理装置から所定時間継続してデータを受信しない場合、所定の条件が成立したと判断する。
【００１１】
この局面に従えば、画像形成装置は、情報処理装置から所定時間継続してデータを受信しない場合、情報処理装置に通信を切断することを通知した後、情報処理装置との通信を終了する。このため、情報処理装置に所定時間継続して操作を入力しない場合の遠隔操作を容易にすることができる。
【００１２】
好ましくは、情報処理装置は、さらに、通信を切断することが通知される場合、表示されている遠隔操作画面の一部に予め定められたスリープ画面を表示するスリープ通知手段を含む。
【００１３】
この局面に従えば、情報処理装置は、通信を切断することが通知される場合、遠隔操作画面の一部にスリープ画面を表示するので、ユーザーに画像形成装置との間の通信が切断されたことを通知することができる。
【００１４】
好ましくは、画像形成装置は、さらに、情報処理装置に通信を切断することを通知する場合、予め定められたスリープ画面を含む遠隔操作画面を生成するスリープ画面生成手段を含む。
【００１５】
この局面に従えば、画像形成装置は、情報処理装置に通信を切断することを通知する場合、スリープ画面を含む遠隔操作画面を生成し、送信するので、情報処理装置を操作するユーザーに画像形成装置との間の通信が切断されたことを通知することができる。
【００１６】
好ましくは、画像形成装置または情報処理装置のいずれかは、画像形成装置と情報処理装置との間の通信を終了する直前に送信または受信された遠隔操作画面と情報処理装置を操作するユーザーの認証情報とを関連付ける直前画面関連付手段を備え、画像形成装置は、情報処理装置から受信される認証情報に従って遠隔操作認証手段による認証が成功する場合、情報処理装置から受信される認証情報と同じ認証情報と直前画面関連付手段によって関連付けられた遠隔操作画面を情報処理装置に送信する復帰手段を含む。
【００１７】
この局面に従えば、画像形成装置は、情報処理装置から受信される認証情報に従った認証が成功する場合、その認証情報と同じ認証情報と関連付けられた遠隔操作画面を情報処理装置に送信するので、画像形成装置と情報処理装置との間の通信を終了する直前に送信または受信された遠隔操作画面を情報処理装置で表示することができる。このため、画像形成装置と情報処理装置との間の通信を終了する直前の状態に容易に戻すことができる。
【００１８】
好ましくは、遠隔操作画面は、画像形成装置が備える複数の操作キーそれぞれに対応する複数のキー画像を含み、復帰指示手段は、複数の操作キーのうち予め定められた操作キーに対応するキー画像がユーザーにより指示されることに応じて、所定の操作を検出する。
【００１９】
好ましくは、情報処理装置は、ユーザーによる操作を受け付ける操作受付手段を、さらに備え、復帰指示手段は、通信を切断することが通知された後に操作受付手段により任意の操作が入力されることに応じて、所定の操作を検出する。
【００２０】
この発明の他の局面によれば、遠隔制御方法は、画像形成装置と、画像形成装置を遠隔操作することが可能な情報処理装置とを含む画像形成システムで実行される遠隔制御方法であって、画像形成装置に、情報処理装置に遠隔操作画面を送信する遠隔操作画面送信ステップと、情報処理装置から遠隔操作画面により定まる指示を受信する遠隔操作受信ステップと、受信された指示に従って処理を実行する遠隔操作実行ステップと、認証情報を入力する画面を含む認証用の遠隔操作画面を送信した後に情報処理装置から受信される認証情報に基づいて、情報処理装置を操作するユーザーを認証する遠隔操作認証ステップと、遠隔操作認証ステップにおいて情報処理装置を操作するユーザーが認証された後に、所定の条件が成立すると、情報処理装置に通信を切断することを通知した後、情報処理装置との通信を終了する一時停止ステップと、を実行させ、情報処理装置に、画像形成装置から遠隔操作画面が受信されることに応じて遠隔操作画面を表示し、遠隔操作画面に従って操作が受け付けられることに応じて受け付けられた操作に対応する指示を画像形成装置に送信する遠隔制御ステップと、遠隔制御ステップにおいて認証用の遠隔操作画面が表示され、認証用の遠隔操作画面に従って情報処理装置を操作するユーザーにより入力される認証情報が受け付けられる場合、受け付けられた認証情報を一時記憶する一時記憶ステップと、遠隔制御ステップにおいて遠隔操作画面が表示されている状態で、画像形成装置から通信を切断することが通知された後に所定の操作が受け付けられることに応じて、一時記憶ステップにおいて記憶された認証情報を画像形成装置に送信する復帰指示ステップと、を実行させる。
【００２１】
この局面に従えば、画像形成装置の遠隔操作を容易にした遠隔制御方法を提供することができる。
好ましくは、画像形成装置に、さらに、通常モードと、通常モードよりも消費電力の小さい省電力モードとのいずれかに動作モードを切り換える動作モード切換ステップを実行させ、一時停止ステップは、動作モード切換ステップにおいて通常モードから省電力モードに動作モードが切り換えられる場合、所定の条件が成立したと判断するステップを含む。
好ましくは、一時停止ステップは、情報処理装置から所定時間継続してデータを受信しない場合、所定の条件が成立したと判断するステップを含む。
好ましくは、情報処理装置に、さらに、通信を切断することが通知される場合、表示されている遠隔操作画面の一部に予め定められたスリープ画面を表示するスリープ通知ステップを、実行させる。
好ましくは、画像形成装置に、さらに、情報処理装置に通信を切断することを通知する場合、予め定められたスリープ画面を含む遠隔操作画面を生成するスリープ画面生成ステップを、さらに実行させる。
好ましくは、画像形成装置または情報処理装置のいずれかに、画像形成装置と情報処理装置との間の通信を終了する直前に送信または受信された遠隔操作画面と情報処理装置を操作するユーザーの認証情報とを関連付ける直前画面関連付ステップを、さらに実行させ、画像形成装置に、情報処理装置から受信される認証情報に従って遠隔操作認証ステップにおける認証が成功する場合、情報処理装置から受信される認証情報と同じ認証情報と直前画面関連付ステップにおいて関連付けられた遠隔操作画面を情報処理装置に送信する復帰ステップを、さらに実行させる。
好ましくは、遠隔操作画面は、画像形成装置が備える複数の操作キーそれぞれに対応する複数のキー画像を含み、復帰指示ステップは、複数の操作キーのうち予め定められた操作キーに対応するキー画像がユーザーにより指示されることに応じて、所定の操作を検出するステップを含む。
好ましくは、情報処理装置に、ユーザーによる操作を受け付ける操作受付ステップを、さらに実行させ、復帰指示ステップは、通信を切断することが通知された後に操作受付ステップにおいて任意の操作が入力されることに応じて、所定の操作を検出するステップを含む。
【図面の簡単な説明】
【００２２】
【図１】本発明の実施の形態の１つにおける画像形成システムの全体概要を示す図である。
【図２】ＭＦＰのハードウエア構成の一例を示すブロック図である。
【図３】携帯情報装置のハードウエア構成の一例を示すブロック図である。
【図４】ＭＦＰが備えるＣＰＵが有する機能の一例を示す図である。
【図５】遠隔操作画面の一例を示す図である。
【図６】スリープ用遠隔操作画面の一例を示す図である。
【図７】第１の実施の形態における携帯情報装置が備えるＣＰＵが有する機能の一例を示す図である。
【図８】第１の実施の形態における遠隔操作実行処理の流れの一例を示すフローチャートである。
【図９】第１の実施の形態における遠隔制御処理の流れの一例を示すフローチャートである。
【図１０】第１の実施の形態における復帰指示処理の流れの一例を示すフローチャートである。
【図１１】ＭＦＰが備えるＣＰＵが有する機能の一例を示す図である。
【図１２】第２の実施の形態における携帯情報装置が備えるＣＰＵが有する機能の一例を示す図である。
【図１３】第２の実施の形態における遠隔操作実行処理の流れの一例を示すフローチャートである。
【図１４】第２の実施の形態における遠隔制御処理の流れの一例を示すフローチャートである。
【図１５】第２の実施の形態における復帰指示処理の流れの一例を示すフローチャートである。
【発明を実施するための形態】
【００２３】
以下、本発明の実施の形態について図面を参照して説明する。以下の説明では同一の部品には同一の符号を付してある。それらの名称および機能も同じである。従ってそれらについての詳細な説明は繰り返さない。
【００２４】
＜第１の実施の形態＞
図１は、本発明の実施の形態の１つにおける画像形成システムの全体概要を示す図である。図１を参照して、画像形成システム１は、それぞれがネットワーク３に接続された複合機（以下、「ＭＦＰ」という）１００，１００Ａ，１００Ｂと、情報処理装置である携帯情報装置２００と、無線局５と、を含む。このため、ＭＦＰ１００，１００Ａ，１００Ｃ各々は、ネットワーク３を介して互いに通信可能である。
【００２５】
なお、図ではネットワーク３に、画像形成装置の一例として３台のＭＦＰ（Ｍｕｌｔｉ  Ｆｕｎｃｔｉｏｎ  Ｐｅｒｉｐｈｅｒａｌ）１００，１００Ａ，１００Ｂが接続される例を示しているが、ＭＦＰの数はこれに限定されるものではなく、１台以上であればよい。また、ＭＦＰ１００，１００Ａ，１００Ｂに代えて、画像を処理する機能を備えた装置であれば、例えば、コンピュータ、ファクシミリ、プリンタ等であってもよい。
【００２６】
ネットワーク３は、ローカルエリアネットワーク（ＬＡＮ）であり、接続形態は有線または無線を問わない。またネットワーク３は、ＬＡＮに限らず、ワイドエリアネットワーク（ＷＡＮ）、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。さらに、ネットワーク３は、インターネットに接続されている。このため、ＭＦＰ１００，１００Ａ，１００Ｂ各々は、インターネットに接続されたサーバー等のコンピュータと通信が可能である。
【００２７】
携帯情報装置２００は、情報処理装置の一例であり、電子ペーパー、またはスマートホン等の通信機能を備えたＰＤＡ（Ｐｅｒｓｏｎａｌ  Ｄｉｇｉｔａｌ  Ａｓｓｉｓｔａｎｔs）である。ここでは、携帯情報装置２００を、スマートホンとする場合を例に説明する。また、携帯情報装置２００は、無線ＬＡＮ機能を備えている。携帯情報装置２００は、携帯電話用基地局と無線で通信することにより携帯電話網に接続し、通話が可能である。
【００２８】
ネットワーク３には無線局５がさらに接続される。無線局５は、ネットワーク３の中継装置であり、無線ＬＡＮ通信機能を備えた携帯情報装置２００と通信して、携帯情報装置２００をネットワーク３に接続する。このため、携帯情報装置２００は、ネットワーク３に接続された、ＭＦＰ１００，１００Ａ，１００Ｂとデータの送受信が可能である。
【００２９】
本実施の形態における画像形成システム１においては、携帯情報装置２００と、ＭＦＰ１００，１００Ａ，１００Ｂのいずれかと、が通信し、データが送受信される。データを送受信するプロトコルは、特に限定されることはなく、任意のプロトコルを用いることが可能である。
【００３０】
また、携帯情報装置２００は、ＭＦＰ１００，１００Ａ，１００Ｂそれぞれを遠隔操作するための複数種類のアプリケーションプログラムをインストール可能である。携帯情報装置２００に、アプリケーションプログラムを実行させることによって、ＭＦＰ１００，１００Ａ，１００Ｂそれぞれに種々の処理を実行させることができる。アプリケーションプログラムは、ＭＦＰ１００，１００Ａ，１００Ｂそれぞれに、画像を形成させる処理を実行させるアプリケーションプログラム、原稿を読み取らせる処理を実行させるアプリケーションプログラム、ＭＦＰ１００，１００Ａ，１００Ｂそれぞれが記憶するデータに対する処理を実行させるアプリケーションプログラム、を含む。携帯情報装置２００がＭＦＰ１００，１００Ａ，１００Ｂのいずれかを遠隔操作する処理は、すべて同じなので、以下の説明では、特に言及しない限り、携帯情報装置２００が、ＭＦＰ１００を遠隔操作する場合を例に説明する。
【００３１】
ＭＦＰ１００，１００Ａ，１００Ｂは、ハードウエア構成は同じであってもよく異なっていてもよいが、少なくとも画像データに基づいて紙などの用紙に画像を形成するための画像形成部を備えている。ＭＦＰ１００，１００Ａ，１００Ｂ各々が有するハードウエア構成は同じではない場合があるが、ここではＭＦＰ１００が、他のＭＦＰ１００Ａ，１００Ｂの少なくとも１つが有する構成を有しているとし、特に言及しない限りＭＦＰ１００を例に説明する。
【００３２】
図２は、ＭＦＰのハードウエア構成の一例を示すブロック図である。図２を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、後処理部１５５と、ユーザーインターフェースとしての操作パネル１６０と、を含む。
【００３３】
メイン回路１１０は、ＣＰＵ１１１と、通信インターフェース（Ｉ／Ｆ）部１１２と、ＲＯＭ１１３と、ＲＡＭ１１４と、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのハードディスクドライブ（ＨＤＤ）１１６と、ファクシミリ部１１７と、ＣＤ−ＲＯＭ（Ｃｏｍｐａｃｔ  Ｄｉｓｃ−Ｒｅａｄ  Ｏｎｌｙ  Ｍｅｍｏｒｙ）１１９Ａが装着される外部記憶装置１１９と、を含む。ＣＰＵ１１１は、自動原稿搬送装置１２０、原稿読取部１３０、画像形成部１４０、給紙部１５０、後処理部１５５および操作パネル１６０と接続され、ＭＦＰ１００の全体を制御する。
【００３４】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００３５】
操作パネル１６０は、ＭＦＰ１００の上面に設けられる。操作パネル１６０は、表示部１６１と操作部１６３とを含む。表示部１６１は、液晶表示装置（ＬＣＤ）、有機ＥＬＤ（Ｅｌｅｃｔｒｏ−Ｌｕｍｉｎｅｓｃｅｎｃｅ  Ｄｉｓｐｌａｙ）等の表示装置であり、ユーザーに対する指示メニューや取得した画像データに関する情報等を表示する。操作部１６３は、複数のキーを備え、キーに対応するユーザーの操作による各種の指示、文字、数字などのデータの入力を受け付ける。操作部１６３は、表示部１６１の表示面で、ユーザーにより指示された位置を検出するタッチパネル１６５をさらに含む。タッチパネル１６５は、表示部１６１の上面または下面に設けられ、ユーザーにより指示された位置の座標をＣＰＵ１１１に出力する。
【００３６】
自動原稿搬送装置１２０は、原稿給紙トレイ上にセットされた複数枚の原稿を１枚ずつ自動的に原稿読取部１３０のプラテンガラス上に設定された所定の原稿読み取り位置まで搬送し、原稿読取部１３０により原稿画像が読み取られた原稿を原稿排紙トレイ上に排出する。原稿読取部１３０は、原稿読取位置に搬送されてきた原稿に光を照射する光源と、原稿で反射した光を受光する光電変換素子とを含み、原稿のサイズに応じた原稿画像を走査する。光電変換素子は、受光した光を電気信号である画像データに変換して、画像形成部１４０に出力する。給紙部１５０は、給紙トレイに収納された用紙を画像形成部１４０に搬送する。
【００３７】
画像形成部１４０は、周知の電子写真方式により画像を形成するものであって、原稿読取部１３０から入力される画像データにシェーディング補正などの各種のデータ処理を施した、データ処理後の画像データまたは、外部から受信された画像データに基づいて、給紙部１５０により搬送される用紙に画像を形成し、画像が形成された用紙を後処理部１５５に排出する。
【００３８】
後処理部１５５は、用紙を蓄積するための複数のビンを備え、画像形成部１４０から搬送される１以上の用紙に対して後処理を実行する。後処理は、１以上の用紙を複数のビンに順に搬送することによって複数のセットに分類するソート処理、用紙にパンチ穴加工するパンチ処理、用紙にステープル針を打ち込むステープル処理を含む。なお、後処理は、これらに限定されるものではなく、１以上の用紙を、搬送または加工する処理であれば、他の処理を含むようにしてもよい。
【００３９】
通信Ｉ／Ｆ部１１２は、ＭＦＰ１００をネットワーク３に接続するためのインターフェースである。ＣＰＵ１１１は、通信Ｉ／Ｆ部１１２を介してネットワーク３に接続された他のＭＦＰ１００Ａ，１００Ｂまたは無線局５との間で通信し、データを送受信する。また、通信Ｉ／Ｆ部１１２は、ネットワーク３を介してインターネットに接続されたコンピュータと通信が可能である。
【００４０】
ファクシミリ部１１７は、公衆交換電話網（ＰＳＴＮ）に接続され、ファクシミリデータを送受信する。ファクシミリ部１１７は、原稿読取部１３０により読み取られた画像データまたはＨＤＤ１１６に記憶されたデータをファクシミリデータに変換して、ＰＳＴＮに接続されたファクシミリ装置に送信する。また、ファクシミリ部１１７は、受信されたファクシミリデータをＨＤＤ１１６に記憶するか、画像形成部１４０にファクシミリデータの画像を用紙に形成させる。
【００４１】
外部記憶装置１１９は、ＣＤ−ＲＯＭ１１９Ａが装着される。ＣＰＵ１１１は、外部記憶装置１１９を介してＣＤ−ＲＯＭ１１９Ａにアクセス可能である。ＣＰＵ１１１は、外部記憶装置１１９に装着されたＣＤ−ＲＯＭ１１９Ａに記録されたプログラムをＲＡＭ１１４にロードして実行する。なお、ＣＰＵ１１１が実行するプログラムは、ＣＤ−ＲＯＭ１１９Ａに記録されたプログラムに限られず、ＨＤＤ１１６に記憶されたプログラムをＲＡＭ１１４にロードして実行するようにしてもよい。この場合、ネットワークに接続された他のコンピュータが、ＭＦＰ１００のＨＤＤ１１６に記憶されたプログラムを書き換える、または、新たなプログラムを追加して書き込むようにしてもよい。さらに、ＭＦＰ１００が、ネットワークに接続された他のコンピュータからプログラムをダウンロードして、そのプログラムをＨＤＤ１１６に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００４２】
図３は、携帯情報装置のハードウエア構成の一例を示すブロック図である。図３を参照して、携帯情報装置２００は、携帯情報装置２００の全体を制御するためのＣＰＵ２１１と、カメラ２１２と、データを不揮発的に記憶するフラッシュメモリ２１３と、通話部２１５と、通話部２１５と接続された無線通信部２１４と、情報を表示する表示部２１６と、ユーザーの操作の入力を受け付ける操作部２１７と、無線ＬＡＮインターフェース（Ｉ／Ｆ）２１８と、を含む。
【００４３】
無線通信部２１４は、電話通信網に接続された携帯電話用基地局と無線通信する。無線通信部２１４は、携帯情報装置２００を電話通信網に接続し、通話部２１５を用いた通話を可能とする。無線通信部２１４は、携帯電話用基地局から受信した無線信号を復調した音声信号を復号して通話部２１５に出力する。また、無線通信部２１４は、通話部２１５から入力される音声を符号化し、携帯電話用基地局に送信する。通話部２１５は、マイクおよびスピーカを備え、無線通信部２１４から入力される音声をスピーカから出力し、マイクから入力される音声を無線通信部２１４に出力する。さらに、無線通信部２１４は、ＣＰＵ２１１により制御され、携帯電話用基地局を介してデータを送受信し、例えば、携帯情報装置２００をインターネットに接続する。
【００４４】
カメラ２１２は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサー等の光電変換素子を備え、レンズで集光した光をＣＭＯＳセンサーに結像し、ＣＭＯＳセンサーは受光した光を光電変換して画像データをＣＰＵ２１１に出力する。
【００４５】
表示部２１６は、液晶表示装置（ＬＣＤ）、有機ＥＬＤ等の表示装置であり、ユーザーに対する指示メニューや，外部から受信されたデータ等を表示する。操作部２１７は、複数のキーを備え、キーに対応するユーザーの操作による各種の指示、文字、数字などのデータの入力を受け付ける。
【００４６】
また、操作部２１７は、タッチパネル２１７Ａを含む。タッチパネル２１７Ａは、表示部２１６の表示面中でユーザーにより指示された位置を検出する。タッチパネル２１７Ａは、表示部２１６の上面または下面に設けられ、ユーザーにより指示された位置の座標をＣＰＵ２１１に出力する。タッチパネル２１７Ａは、マルチタッチスクリーンパネルであり、同時に複数の位置がユーザーにより指示される場合、ユーザーにより指示された複数の位置にそれぞれ対応する複数の座標をＣＰＵ２１１に出力する。タッチパネル２１７Ａは、表示部２１６の表示面と同じまたはそれ以上のサイズであるのが好ましい。タッチパネル２１７Ａは、表示部２１６に重畳して設けられるので、タッチパネル２１７Ａは、ユーザーが表示部２１６の表示面を指示すれば、表示部２１６の表示面中でユーザーが指示した１以上の位置にそれぞれ対応する１以上の座標をＣＰＵ２１１に出力する。タッチパネル２１７Ａは、例えば、抵抗膜方式、表面弾性波方式、赤外線方式、電磁誘導方式、静電容量方式を用いることができ、その方式は限定されない。
【００４７】
無線ＬＡＮＩ／Ｆ２１８は、無線局５と通信し、携帯情報装置２００をネットワーク３に接続するためのインターフェースである。携帯情報装置２００は、無線ＬＡＮＩ／Ｆ２１８を介してＭＦＰ１００，１００Ａ、１００Ｂと通信することができ、データの送受信が可能である。
【００４８】
図４は、ＭＦＰが備えるＣＰＵが有する機能の一例を示す図である。図４に示す機能は、ＭＦＰ１００が備えるＣＰＵ１１１が、ＲＯＭ１１３、ＥＥＰＲＯＭ１１５、ＨＤＤ１１６またはＣＤ−ＲＯＭ１１９Ａに記憶された遠隔操作実行プログラムを実行することにより、ＣＰＵ１１１に形成される機能である。図４を参照して、ＣＰＵ１１１は、携帯情報装置２００に遠隔操作画面を送信する遠隔操作画面送信部５１と、携帯情報装置２００から送信される遠隔操作を受信する遠隔操作受信部５３と、遠隔操作に従って処理を実行する遠隔操作実行部５５と、携帯情報装置２００を操作するユーザーを認証する遠隔操作認証部５７と、携帯情報装置２００との間の通信を切断する一時停止部６１と、携帯情報装置２００との間の通信を切断する直前に送信した遠隔操作画面をユーザーと関連付ける直前画面関連付部５９と、携帯情報装置２００との間の通信を復帰させる復帰部６３と、操作部１６３に入力される操作を受け付ける操作受付部６５と、動作モードを切り換える動作モード切換部６７と、を含む。
【００４９】
遠隔操作画面送信部５１は、通信Ｉ／Ｆ部１１２を介して、携帯情報装置２００に遠隔操作画面を送信する。具体的には、遠隔操作画面送信部５１は、通信Ｉ／Ｆ部１１２が携帯情報装置２００から送信要求を受信すると、受信された送信要求に対応する遠隔操作画面を、通信Ｉ／Ｆ部１１２を介して送信する。遠隔操作画面送信部５１は、携帯情報装置２００に送信した遠隔操作画面を識別するための画面識別情報を遠隔操作受信部５３および一時停止部６１に出力する。
【００５０】
図５は、遠隔操作画面の一例を示す図である。図５を参照して、遠隔操作画面３００は、操作パネル１６０を模した画像を含み、表示部１６１の表示面を模した画像３０１と、操作部１６３を模した画像３０３と、を含む。画像３０１は、表示部１６１に表示される画像と同じ画像である。画像３０３は、電源キーのキー画像３０３Ａと、テンキー等の複数のハードキーのキー画像を含む。
【００５１】
図４に戻って、遠隔操作受信部５３は、遠隔操作画面送信部５１から画面識別情報が入力された後に、通信Ｉ／Ｆ１１２が携帯情報装置２００から遠隔操作を受信すると、受信された遠隔操作を取得する。遠隔操作受信部５３は、受信された遠隔操作を、遠隔操作実行部５５または遠隔操作認証部５７に出力するとともに、遠隔操作を受信したことを示す操作受信信号を一時停止部６１に出力する。遠隔操作受信部５３は、遠隔操作が認証情報を含む場合は、認証情報を含む遠隔操作を遠隔操作認証部５７に出力し、遠隔操作が処理の実行を指示するコマンドを含む場合は、コマンドを含む遠隔操作を遠隔操作実行部５５に出力する。
【００５２】
遠隔操作実行部５５は、遠隔操作受信部５３からコマンドを含む遠隔操作が入力される場合、遠隔操作に含まれるコマンドに従って処理を実行する。遠隔操作に含まれるコマンドは、例えば、原稿を読み取る処理を実行させるためのコマンド、画像を形成する処理を実行させるためのコマンド、データを出力する処理を実行させるためのコマンド、処理を実行するための設定値を設定するためのコマンド等を含む。データを出力する処理は、データをＨＤＤ１１６、ＥＥＰＲＯＭ１１５に記憶する処理、データを電子メールまたはＦＴＰ（Ｆｉｌｅ  Ｔｒａｎｓｆｅｒ  Ｐｒｏｔｏｃｏｌ）で送信する処理を含む。
【００５３】
遠隔操作認証部５７は、携帯情報装置２００から認証要求を受信することに応じて、携帯情報装置２００を操作するユーザーであって、ＭＦＰ１００を遠隔操作するユーザーを認証する。認証要求は、認証情報を含まない第１の認証要求と、認証情報を含む第２の認証要求とを含む。認証情報は、例えば、ユーザーを識別するためのユーザー識別情報と、パスワードとの組を含む。なお、認証情報は、ユーザー識別情報とパスワードとの組に限らず、例えば、生体情報を用いるようにしてもよいし、ＩＣカード等に記憶されたカード識別情報等を用いるようにしてもよい。
【００５４】
具体的には、携帯情報装置２００を操作するユーザーは、ＭＦＰ１００を遠隔操作する場合、遠隔操作の対象となるＭＦＰ１００を識別するための装置識別情報を携帯情報装置２００に入力する。例えば、携帯情報装置２００の表示部２１６に、遠隔操作可能な１以上の装置の装置識別情報のリストを表示し、ユーザーが、リスト表示された１以上の装置識別情報のうちから１つを選択するようにすればよい。装置識別情報は、例えばネットワークアドレス等、ＭＦＰ１００のネットワーク３において割り当てられた位置を示す情報であればよく、例えば、ＭＦＰ１００に付されたＩＰ（Ｉｎｔｅｒｎｅｔ  Ｐｒｏｔｏｃｏｌ）アドレス、装置名称であってもよい。
【００５５】
携帯情報装置２００は、携帯情報装置２００を操作するユーザーによりＭＦＰ１００の装置識別情報が入力されることに応じて、ＭＦＰ１００に第１の認証要求を無線ＬＡＮＩ／Ｆ２１８を介して送信する。携帯情報装置２００は、携帯情報装置２００を操作するユーザーによりＭＦＰ１００の装置識別情報が入力される場合は、第１の認証要求を送信する。なお、携帯情報装置２００が第２の認証要求を送信する場合については、後述する。
【００５６】
遠隔操作認証部５７は、通信Ｉ／Ｆ１１２が第１の認証要求を受信することに応じて、認証用画面の送信を遠隔操作画面送信部５１に出力する。これにより、遠隔操作画面送信部５１によって、携帯情報装置２００に認証用画面が送信され、携帯情報装置２００において認証画面が表示される。認証用画面は、認証情報を入力する画面を含む遠隔操作画面である。認証情報は、ＭＦＰ１００を使用することが許可されたユーザーを認証するための情報である。
【００５７】
携帯情報装置２００を操作するユーザーが携帯情報装置２００に認証情報を入力すれば、携帯情報装置２００は、認証情報を含む遠隔操作を、無線ＬＡＮＩ／Ｆ２１８を介してＭＦＰ１００に返信する。遠隔操作受信部５３は、通信Ｉ／Ｆ部１１２を制御して、携帯情報装置２００が送信する遠隔操作を受信し、遠隔操作を遠隔操作認証部５７に出力する。
【００５８】
遠隔操作認証部５７は、遠隔操作受信部５３から認証情報を含む遠隔操作が入力される場合、または、通信Ｉ／Ｆ部１１２が携帯情報装置２００から第２の認証要求を受信する場合、遠隔操作に含まれる認証情報または第２の認証要求に含まれ認証情報を用いて、携帯情報装置２００を操作するユーザーを認証する。したがって、遠隔操作認証部５７は、通信Ｉ／Ｆ部１１２が携帯情報装置２００から第２の認証要求を受信する場合は、認証用画面の送信を遠隔操作画面送信部５１に出力しないので、携帯情報装置２００では、認証用画面は表示されない。
【００５９】
具体的には、遠隔操作認証部５７は、遠隔操作受信部５３から入力される遠隔操作に含まれる認証情報または第２の認証要求に含まれ認証情報と同じ認証情報が、ＨＤＤ１１６に予め記憶された認証情報中に存在すれば、ログインを許可するが、ＨＤＤ１１６に予め記憶された認証情報中に存在しなければ、ログインを許可しない。遠隔操作認証部５７は、認証に成功しログインを許可する場合、遠隔操作画面送信部５１に遠隔操作画面を送信する送信指示を出力するとともに、直前画面関連付部５９、一時停止部６１および復帰部６３に認証情報を出力する。遠隔操作認証部５７は、認証に失敗し、ログインを許可しない場合、遠隔操作画面送信部５１にエラー画面を送信する指示を出力する。以下、遠隔操作認証部５７によって認証されたユーザーを、遠隔操作ユーザーという。
【００６０】
遠隔操作認証部５７によって認証に成功し、遠隔操作画面送信部５１によって遠隔操作画面が送信される時点で、ＭＦＰ１００と携帯情報装置２００との間の通信が確立する。通信の確立とは、携帯情報装置とＭＦＰ１００との間で共通のセッション番号を用いて通信する場合を含む。遠隔操作認証部５７によって認証に失敗する場合、遠隔操作画面送信部５１は、通信Ｉ／Ｆ部１１２を介して、携帯情報装置２００にエラー画面を送信する。この場合は、ＭＦＰ１００と携帯情報装置２００との間の通信は、認証処理を実行する間の一時的に確立するが、エラー画面を送信した後に切断する。ここでの通信の確立は、認証処理を実行した後の期間において通信可能な状態をいう。このため、認証処理を実行した結果、認証に失敗する場合には、ＭＦＰ１００と携帯情報装置２００との間の通信が認証処理を実行している間は一時的に確立しているが、エラー画面を送信した後に切断されるので、通信が確立しない。
【００６１】
操作受付部６５は、ユーザーが操作パネル１６０を操作し、入力する操作を受け付ける。操作受付部６５は、操作部１６３が備えるハードキーが押下される場合、または、タッチパネル１６５がユーザーにより指示される場合に、ユーザーが入力する操作を検出する。以下、操作パネル１６０を操作するユーザーを直接操作ユーザーという。操作受付部６５は、直接操作ユーザーが入力する操作を検出してから所定時間の間を、操作中状態に決定する。所定時間経過する前に直接操作ユーザーが入力する別の操作を検出する場合、操作中状態を継続させ、別の操作を検出した時点を所定時間を計時する起算時とする。操作受付部６５は、操作中状態以外の期間を非操作状態とし、操作状態を動作モード切換部６７に出力する。
【００６２】
動作モード切換部６７は、操作受付部６５から操作状態が入力される。動作モード切換部６７は、ＭＦＰ１００の動作モードを通常モードと省電力モードとのいずれかに切り換える。動作モード切換部６７は、動作モードを切り換える場合、切り換え後の動作モードを一時停止部６１に出力する。なお、ここでの省電力モードは、通常モードよりも消費電力が低い動作モードであり、１つであってもよいし、消費電力の異なる複数の動作モードを含んでもよい。ここでは説明のために省電力モードが１つ動作モードの場合を例に説明する。
【００６３】
動作モード切換部６７は、操作受付部６５から入力される操作状態が操作中状態の間は動作モードを通常モードに切り換える。操作受付部６５から入力される操作状態が非操作状態の間は、動作モードを省電力モードに切り換える。動作モード切換部６７は、操作受付部６５から入力される操作状態が操作中状態から非操作状態に切り換わると、動作モードを省電力モードに切り換える。なお、操作中状態から非操作状態に切り換わってからユーザーにより定められた時間が経過した後に動作モードを通常モードから省電力モードに切り換えるようにしてもよい。
【００６４】
一時停止部６１は、遠隔操作認証部５７により遠隔操作ユーザーが認証された後に、予め定められた一時停止条件が成立すると、携帯情報装置２００に通信を切断することを通知した後、携帯情報装置２００との間で確立された通信を切断する。具体的には、一時停止部６１は、遠隔操作認証部５７から認証情報が入力され、遠隔操作画面送信部５１から画面識別情報が入力され、遠隔操作受信部５３から遠隔操作を受信したことを示す操作受信信号が入力され、動作モード切換部６７から動作モードが入力される。一時停止条件は、遠隔操作ユーザーが、携帯情報装置２００に所定時間継続して遠隔操作を入力しない第１の条件と、動作モードが通常モードから省電力モードに切り換わる第２の条件と、を含む。
【００６５】
一時停止部６１は、遠隔操作認証部５７から認証情報が入力された後、遠隔操作画面送信部５１から画面識別情報が入力される。遠隔操作画面送信部５１は、遠隔操作認証部５７により遠隔操作ユーザーが認証された後に、携帯情報装置２００に遠隔操作画面を送信するからである。一時停止部６１は、遠隔操作画面送信部５１から画面識別情報が入力された後、所定時間継続して遠隔操作受信部５３から操作受信信号が入力されない場合、第１の条件が成立したと判断する。また、一時停止部６１は、動作モード切換部６７から操作モードを通常モードから省電力モードに切り換える切り換え信号が入力されると、第２の条件が成立したと判断する。
【００６６】
一時停止部６１は、遠隔操作認証部５７から認証情報が入力された後一時停止条件が成立する前は、遠隔操作画面送信部５１から画面識別情報が入力されるごとに、その画面識別情報を直前画面関連付部５９に出力する。また、一時停止部６１は、一時停止条件が成立する場合、一時停止信号を直前画面関連付部５９に出力するとともに、一時停止信号をスリープ画面生成部６９に出力する。一時停止部６１は、一時停止信号を直前画面関連付部５９およびスリープ画面生成部６９に出力した後、遠隔操作画面送信部５１によってスリープ画面を含むスリープ用遠隔操作画面の画面識別情報が入力されることに応じて、通信Ｉ／Ｆ部１１２を制御して、携帯情報装置２００に通信を切断することを通知した後、携帯情報装置２００との間で確立されている通信を切断させる。
【００６７】
スリープ画面生成部６９は、一時停止部６１から一時停止信号が入力されると、予め定められたスリープ画面を含むスリープ用遠隔操作画面を生成し、生成されたスリープ用遠隔操作画面を遠隔操作画面送信部５１に出力する。遠隔操作画面送信部５１は、スリープ用遠隔操作画面を、通信Ｉ／Ｆ部１１２を介して携帯情報装置２００に送信する。これにより、携帯情報装置２００にスリープ画面を含むスリープ用遠隔操作画面が表示される。スリープ画面は、ＭＦＰ１００との間の通信が切断したことを通知するための画面であり、例えば、無地の画像を含む。また、遠隔操作画面送信部５１は、スリープ用遠隔操作画面を携帯情報装置２００に送信すると、スリープ用遠隔操作画面の画面識別情報を一時停止部６１に出力する。
【００６８】
図６は、スリープ用遠隔操作画面の一例を示す図である。図６を参照して、スリープ用遠隔操作画面３１０は、図５に示した遠隔操作画面３００と異なる点は、画像３０１に代えてスリープ画面３０１Ａを含む点である。スリープ画面は、無地の黒色の画像である。ここでは、黒色を斜線のハッチングで示している。スリープ用遠隔操作画面３１０が携帯情報装置２００に表示されるので、遠隔操作ユーザーは、スリープ用遠隔操作画面３１０を見て、ＭＦＰ１００を遠隔操作中であることを知ることができ、スリープ用遠隔操作画面３１０に含まれる領域３０１に表示されるスリープ画面を見て、遠隔操作中のＭＦＰ１００との間で確立していた通信が切断されたことを知ることができる。
【００６９】
図４に戻って、直前画面関連付部５９は、遠隔操作認証部５７から認証情報が入力され、一時停止部６１から画面識別情報または一時停止信号が入力される。直前画面関連付部５９は、一時停止信号が入力される直前に遠隔操作画面送信部５１によって送信された遠隔操作画面を遠隔操作ユーザーと関連付ける。具体的には、直前画面関連付部５９は、一時停止部６１から一時停止信号が入力されると、遠隔操作認証部５７から入力される認証情報と、一時停止部６１から一時停止信号が入力される直前に入力された画面識別情報との組を生成し、ＨＤＤ１１６に記憶する。直前画面関連付部５９は、認証情報と画面識別情報との組を復帰部６３に出力する。
【００７０】
復帰部６３は、遠隔操作認証部５７から認証情報が入力される。復帰部６３は、遠隔操作認証部５７から認証情報が入力される場合、遠隔操作認証部５７から入力される認証情報と同じ認証情報を含む組が、ＨＤＤ１１６に記憶されているか否かを判断する。復帰部６３は、遠隔操作認証部５７から入力される認証情報と同じ認証情報を含む組が、ＨＤＤ１１６に記憶されているならば、通信Ｉ／Ｆ部１１２を制御して携帯情報装置２００との間の通信を確立する。さらに、復帰部６３は、遠隔操作認証部５７から入力される認証情報と同じ認証情報を含む組によって認証情報と関連付けられた画面識別情報を取得し、取得された画面識別情報を遠隔操作画面送信部５１に出力する。
【００７１】
遠隔操作画面送信部５１は、遠隔操作認証部５７から送信指示が入力されている場合であって、復帰部６３から画面識別情報が入力される場合は、画面識別情報で特定される遠隔操作画面を、通信Ｉ／Ｆ部１１２を介して携帯情報装置２００に送信する。これにより、携帯情報装置２００は、スリープ画面を含むスリープ用遠隔操作画面が表示される直前に表示されていた遠隔操作画面が表示されるので、遠隔操作ユーザーは、遠隔操作を継続して入力することができる。
【００７２】
図７は、第１の実施の形態における携帯情報装置が備えるＣＰＵが有する機能の一例を示す図である。図７に示す機能は、携帯情報装置２００が備えるＣＰＵ２１１が、フラッシュメモリ２１３に記憶され、ＭＦＰ１００を遠隔制御するためのアプリケーションプログラムである遠隔制御プログラムを実行することにより、ＣＰＵ２１１に形成される機能である。
【００７３】
図７を参照して、ＣＰＵ２１１は、ＭＦＰ１００から受信される遠隔操作画面を表示する遠隔操作画面表示部２５１と、ユーザーによる操作を受け付ける操作受付部２５３と、遠隔操作画面に従って受け付けられた遠隔操作をＭＦＰ１００に送信する遠隔操作送信部２５５と、ユーザーにより入力される認証情報を一時記憶する一時記憶部２５７と、ＭＦＰ１００から通信を切断する通知を受信する切断通知受信部２６１と、ＭＦＰ１００から通信を切断することが通知された後にＭＦＰ１００に通信の再開を指示する復帰指示部２５９と、を含む。
【００７４】
遠隔操作画面表示部２５１は、無線ＬＡＮＩ／Ｆ２１８を制御し、ＭＦＰ１００に遠隔操作画面の送信要求を送信し、ＭＦＰ１００が返信する遠隔操作画面を受信する。そして、遠隔操作画面表示部２５１は、受信される遠隔操作画面を表示部２１６に表示するとともに、遠隔操作画面を表示している間、遠隔操作画面を表示していることを示す信号を復帰指示部２５９に出力する。
【００７５】
操作受付部２５３は、携帯情報装置２００を操作するユーザーが操作部２１７に入力する操作を受け付ける。操作受付部２５３は、受け付けられた操作を遠隔操作送信部２５５および復帰指示部２５９に出力する。
【００７６】
遠隔操作送信部２５５は、操作受付部２５３から入力される操作が、遠隔操作の場合に、操作受付部２５３から入力される操作を遠隔操作として、無線ＬＡＮＩ／Ｆ２１８を介してＭＦＰ１００に送信する。遠隔操作送信部２５５は、遠隔操作画面表示部２５１により遠隔操作画面が表示されている状態で、操作受付部２５３により受け付けられた操作が、遠隔操作画面により定められた操作の場合、操作受付部２５３により受け付けられた操作を遠隔操作と判断する。
【００７７】
携帯情報装置２００を操作するユーザーは、ＭＦＰ１００を遠隔操作する場合、遠隔操作の対象となるＭＦＰ１００を識別するための装置識別情報を携帯情報装置２００に入力する。例えば、携帯情報装置２００の表示部２１６に、遠隔操作可能な１以上の装置として、MFP１００，１００Ａ，１００Ｂそれぞれの装置識別情報のリストを表示し、ユーザーが、リスト表示された１以上の装置識別情報のうちから１つを選択するようにすればよい。遠隔操作画面表示部２５１は、ユーザーによりＭＦＰ１００の装置識別情報が入力されることに応じて、第１の認証要求である送信要求をＭＦＰ１００に無線ＬＡＮＩ／Ｆ２１８を介して送信する。第１の認証要求は、認証用画面の送信を要求する送信要求であり、認証情報を含まない。
【００７８】
第１の認証要求を受信するＭＦＰ１００は、認証用画面を送信するので、遠隔操作画面表示部２５１は、無線ＬＡＮＩ／Ｆ２１８が認証用画面を受信すると、受信された遠隔操作画面を表示部２１６に表示する。
【００７９】
携帯情報装置２００を操作するユーザーが、認証用画面に従って認証情報を操作部２１７に入力すれば、操作受付部２５３が、入力された認証情報でＭＦＰ１００に認証させる遠隔操作を受け付け、入力された認証情報を一時記憶部２５７に出力するとともに、遠隔操作を遠隔操作送信部２５５に出力する。
【００８０】
遠隔操作送信部２５５は、認証情報で認証させる遠隔操作が入力されると、ＭＦＰ１００にその遠隔操作を送信する。認証情報で認証させる遠隔操作を受信するＭＦＰ１００は、認証情報を用いてユーザーを認証し、認証に成功する場合は遠隔操作画面を送信するが、認証に失敗する場合はエラー画面を送信する。無線ＬＡＮＩ／Ｆ２１８が、遠隔操作画面またはエラー画面を受信すると、遠隔操作画面表示部２５１は、表示部２１６に遠隔操作画面またはエラー画面を表示する。また、遠隔操作画面表示部２５１は、遠隔操作画面を受信する場合、一時記憶部２５７に通信が確立したことを通知する。このため、携帯情報装置２００を操作するユーザーは、ＭＦＰ１００においてログインに成功したか否かを判断することができる。無線ＬＡＮＩ／Ｆ２１８が、ＭＦＰ１００から遠隔操作画面を受信した時点で、携帯情報装置とＭＦＰ１００との間で通信が確立する。
【００８１】
一時記憶部２５７は、遠隔操作ユーザーにより入力される認証情報をフラッシュメモリ２１３に一時記憶する。一時記憶部２５７は、操作受付部２５３から認証情報が入力された後に、遠隔操作画面表示部２５１から通信が確立したことが通知されると、操作受付部２５３から入力される認証情報をフラッシュメモリ２１３に一時記憶するが、通信が確立したことが通知されない場合は認証情報をフラッシュメモリ２１３に記憶しない。
【００８２】
切断通知受信部２６１は、無線ＬＡＮＩ／Ｆ２１８がＭＦＰ１００から通信を切断することの通知を受信すると、切断通知を復帰指示部２５９に出力する。
【００８３】
切断通知受信部２６１がＭＦＰ１００から通信を切断することの通知を受信する場合、遠隔操作画面表示部２５１は、ＭＦＰ１００からスリープ画面を含むスリープ用遠隔操作画面を受信し、表示部２１６に表示する。このため、遠隔操作ユーザーは、表示部２１６に表示されたスリープ用遠隔操作画面に含まれるスリープ画面を見て、遠隔操作中のＭＦＰ１００との間で確立していた通信が切断されたことを知ることができる。
【００８４】
復帰指示部２５９は、遠隔操作画面表示部２５１から遠隔操作画面を表示していることを示す信号が入力されている状態で、切断通知受信部２６１から切断通知が入力された後に操作受付部２５３から入力される操作が所定の操作の場合、一時記憶部２５７によりフラッシュメモリ２１３に記憶された認証情報を含む第２の認証要求を、無線ＬＡＮＩ／Ｆ２１８を介してＭＦＰ１００に送信する。
【００８５】
上述したように、ＭＦＰ１００においては、遠隔操作認証部５７が第２の認証要求を受信する場合、遠隔操作画面送信部５１が、認証情報に関連付けられた遠隔操作画面を返信する。認証情報に関連付けられた遠隔操作画面は、直前画面関連付部５９によって一時停止条件が成立する直前に、換言すれば、スリープ画面を含む遠隔操作画面の直前に、携帯情報装置２００に送信された遠隔操作画面である。このため、遠隔操作ユーザーは、携帯情報装置２００に所定の操作を入力すれば、スリープ画面を含む遠隔操作画面の直前に表示されていた遠隔操作画面が表示されるので、携帯情報装置２００とＭＦＰ１００との間の通信が切断される前に表示されていた遠隔操作画面に従って、遠隔操作を継続して入力することができる。
【００８６】
所定の操作は、スリープ画面を含むスリープ用遠隔操作画面が、ＭＦＰ１００の操作部１６３が備えるキーボードを模した複数のキー画像を含む場合、複数のキー画像のうちで予め定められたキー画像を指示する操作である。例えば、所定の操作は、電源キーを模したキー画像３０３Ａを指示する操作である。また、所定の操作は、操作部２１７が受け付けることのできる複数の操作のいずれであってもよい。例えば、操作部２１７が備える複数のハードキーのいずれかを押下する操作、タッチパネル２１７Ａの任意の位置を指示する操作である。
【００８７】
図８は、第１の実施の形態における遠隔操作実行処理の流れの一例を示すフローチャートである。遠隔操作実行処理は、ＭＦＰ１００が備えるＣＰＵ１１１が、ＲＯＭ１１３、ＥＥＰＲＯＭ１１５、ＨＤＤ１１６またはＣＤ−ＲＯＭ１１９Ａに記憶された遠隔操作実行プログラムを実行することにより、ＣＰＵ１１１により実行される処理である。図８を参照して、ＣＰＵ１１１は、認証要求を受信したか否かを判断する（ステップＳ０１）。通信Ｉ／Ｆ部１１２が、携帯情報装置２００から認証要求を受信するまで待機状態となり（ステップＳ０１でＮＯ）、認証要求を受信すると（ステップＳ０１でＮＯ）、処理をステップＳ０２に進める。
【００８８】
ステップＳ０２においては、ステップＳ０１において受信された認証要求が認証情報を含む第２の認証要求か否かを判断する。認証情報を含む第２の認証要求ならば処理をステップＳ０５に進めるが、認証情報を含まない第１の認証要求ならば処理をステップＳ０３に進める。
【００８９】
ステップＳ０３においては、認証要求を送信してきた携帯情報装置２００に通信Ｉ／Ｆ部１１２を介して認証用画面を送信する。認証用画面は、認証情報を入力する画面を含む遠隔操作画面である。そして、認証情報を受信するまで待機状態となり（ステップＳ０４でＮＯ）、認証情報を受信すると（ステップＳ０４でＹＥＳ）、処理をステップＳ０５に進める。携帯情報装置２００は、認証用画面に従って認証情報が入力されると、入力された認証情報を含む遠隔操作を返信するので、そのような遠隔操作を受信する場合、認証情報を受信したと判断する。
【００９０】
したがって、ステップＳ０１において第２の認証要求が受信される場合は、第２の認証情報に含まれる認証情報を用いて認証し、認証用画面を携帯情報装置２００に送信しないので、携帯情報装置２００では、認証用画面は表示されない。
【００９１】
ステップＳ０５においては、認証する。処理がステップＳ０２から進む場合は、ステップＳ０１において受信された第２の認証要求に含まれる認証情報を用いて認証し、処理がステップＳ０４から進む場合は、ステップＳ０４において受信された認証情報を用いて認証する。ステップＳ０１において受信された第２の認証要求に含まれる認証情報、または、ステップＳ０４において受信された認証情報と同じ認証情報が、ＨＤＤ１１６に予め記憶された認証情報中に存在すれば、認証してログインを許可するが、ＨＤＤ１１６に予め記憶された認証情報中に存在しなければ、認証することなくログインを許可しない。ログインを許可する場合、携帯情報装置２００との間で通信を確立する。
【００９２】
ステップＳ０６においては、認証結果によって処理を分岐する。認証に成功した場合は（ステップＳ０６でＹＥＳ）、処理をステップＳ０７に進めるが、認証に失敗した場合は処理をステップＳ２２に進める。ステップＳ２２においては、エラー画面を送信し、処理をステップＳ０１に戻す。
【００９３】
ステップＳ０７においては、ステップＳ０６において認証に成功した認証情報と同じ認証情報がＨＤＤ１１６に記憶されているか否かを判断する。ＨＤＤ１１６には、後述するステップＳ１９において、認証情報と画面識別情報との組が記憶される。ステップＳ０６において認証に成功した認証情報と同じ認証情報を含む組がＨＤＤ１１６に記憶されているならば、処理をステップＳ０８に進めるが、そうでなければ処理をステップＳ０９に進める。
【００９４】
ステップＳ０８においては、ステップＳ０６において認証に成功した認証情報と同じ認証情報を含む組を、ＨＤＤ１１６から読出し、読み出した組によって認証情報と関連付けられた画面識別情報を取得する。そして、取得された画面識別情報で識別される遠隔操作画面を特定し、処理をステップＳ１０に進める。ステップＳ０９においては、デフォルトの遠隔操作画面を特定し、処理をステップＳ１０に進める。ステップＳ１０においては、処理がステップＳ０８から進む場合は、ステップＳ０８において特定された遠隔操作画面、換言すれば、ステップＳ０６において認証に成功した認証情報と関連付けられた遠隔操作画面を、携帯情報装置２００に通信Ｉ／Ｆ１１２を介して送信する。また、ステップＳ１０においては、処理がステップＳ０９から進む場合は、ステップＳ０９において特定されたデフォルトの遠隔操作画面を、携帯情報装置２００に通信Ｉ／Ｆ１１２を介して送信する。
【００９５】
ステップＳ１１においては、タイマーＴをスタートさせる。タイマーＴは、遠隔操作画面を携帯情報装置２００に送信した後、最後に遠隔操作を受信してからの経過時間を計時する。
【００９６】
ステップＳ１２においては、携帯情報装置２００から遠隔操作を受信したか否かを判断する。遠隔操作を受信したならば処理をステップＳ１３に進めるが、そうでなければ処理をステップＳ１６に進める。ステップＳ１３においては、タイマーＴをリセットする。タイマーＴの値を「０」に設定し、再び計時を開始させる。
【００９７】
次のステップＳ１４においては、遠隔操作で特定されるコマンドが、遠隔操作を終了させる終了コマンドか否かを判断する。終了コマンドならば処理を終了するが、そうでなければ処理をステップＳ１５に進める。ステップＳ１５においては、遠隔操作で特定されるコマンドを実行し、処理をステップＳ１２に戻す。
【００９８】
ステップＳ１６においては、動作モードが省電力モードに切り換わったか否かを判断する。動作モードが省電力モードに切り換わったならば処理をステップＳ１８に進めるが、そうでなければ処理をステップＳ１７に進める。ステップＳ１７においては、タイマーＴの値が、しきい値ＴＨ以上か否かを判断する。タイマーＴの値がしきい値ＴＨ以上ならば処理をステップＳ１８に進めるが、そうでなければ処理をステップＳ１２に戻す。すなわち、遠隔操作画面を送信した後に、しきい値ＴＨで定まる時間継続して遠隔操作を受信しない場合、換言すれば、携帯情報装置２００を操作する遠隔操作ユーザーが、しきい値ＴＨの時間以上継続して遠隔操作を入力しない場合、処理をステップＳ１８に進める。
【００９９】
ステップＳ１８においては、携帯情報装置２００に通信の切断を通知し、処理をステップＳ１９に進める。通信を切断することを予告する信号を、通信Ｉ／Ｆ部１１２を介して携帯情報装置２００に送信する。ステップＳ１９においては、ステップＳ０６において認証に成功した認証情報と、ステップＳ１０において携帯情報装置２００に最後に送信された遠隔操作画面を識別するための画面識別情報との組を、ＲＡＭ１１４に一時記憶し、処理をステップＳ２０に進める。ステップＳ２０においては、スリープ画面を含むスリープ用遠隔操作画面を生成し、送信する。スリープ用遠隔操作画面を、通信Ｉ／Ｆ部１１２を介して携帯情報装置２００に送信する。スリープ画面は、無地の画像を含む画面である。
【０１００】
次のステップＳ２１においては、ステップＳ０６において携帯情報装置２００との間で確立した通信を切断し、処理をステップＳ０１に戻す。
【０１０１】
図９は、第１の実施の形態における遠隔制御処理の流れの一例を示すフローチャートである。遠隔制御処理は、携帯情報装置２００が備えるＣＰＵ２１１が、フラッシュメモリ２１３に記憶された遠隔制御プログラムを実行することにより、ＣＰＵ２１１により実行される処理である。図９を参照して、ＣＰＵ２１１は、遠隔制御指示を受け付けたか否かを判断する（ステップＳ１０１）。遠隔制御指示は、遠隔制御の対象であるＭＦＰ１００を指定し、遠隔制御の開始を指示するためのユーザーによる操作である。例えば、表示部２１６に、遠隔操作可能な１以上の装置の装置識別情報のリストを表示し、ユーザーが、リスト表示された１以上の装置識別情報のうちから１つを選択する場合に、遠隔制御指示を受け付ける。遠隔制御指示を受け付けるまで待機状態となり（ステップＳ１０１でＮＯ）、遠隔制御指示を受け付けたならば（ステップＳ１０１でＹＥＳ）、処理をステップＳ１０２に進める。
【０１０２】
ステップＳ１０２においては、第１の認証要求を送信する。ステップＳ１０１において選択された装置識別情報で特定されるＭＦＰ１００に無線ＬＡＮＩ／Ｆ２１８を介して送信する。第１の認証要求は、認証用画面の送信を要求する信号であり、認証情報を含まない。第１の認証要求を受信するＭＦＰ１００は、認証用画面を送信するので、次のステップＳ１０３において認証用画面を受信する。
【０１０３】
ステップＳ１０３においては、認証用画面を受信するまで待機状態となり、認証用画面を受信すると処理をステップＳ１０４に進める。ステップＳ１０４においては、受信された認証用画面を表示部２１６に表示する。
【０１０４】
次に、認証情報を受け付けたか否かを判断する（ステップＳ１０５）。携帯情報装置２００を操作するユーザーが、認証用画面に従って認証情報を操作部２１７に入力すれば、認証情報を受け付ける。認証情報を受け付けるまで待機状態となり、認証情報を受け付けると処理をステップＳ１０６に進める。ステップＳ１０６においては、ＭＦＰ１００に認証情報を送信する。ここでは、ステップＳ１０５において受け付けられた認証情報で認証させる遠隔操作を、無線ＬＡＮＩ／Ｆ２１８を介してＭＦＰ１００に送信する。認証情報で認証させる遠隔操作を受信するＭＦＰ１００は、認証情報を用いてユーザーを認証し、認証に成功する場合は遠隔操作画面を送信するが、認証に失敗する場合はエラー画面を送信する。
【０１０５】
次のステップＳ１０７においては、ＭＦＰ１００から画面を受信するまで待機状態となり、画面を受信すると処理をステップＳ１０８に進める。無線ＬＡＮＩ／Ｆ２１８が、遠隔操作画面またはエラー画面を受信したか否かを判断する。ステップＳ１０８においては、受信された画面によって処理を分岐する。受信された画面が遠隔操作画面ならば処理をステップＳ１０９に進めるが、エラー画面ならば処理をステップＳ１１７に進める。ステップＳ１１７においては、エラー画面を表示部２１６に表示し、処理を終了する。このため、携帯情報装置２００を操作するユーザーは、エラー画面を見て、ＭＦＰ１００においてログインに失敗したことを判断することができる。
【０１０６】
ステップＳ１０９においては、ステップＳ１０５において受け付けられた認証情報をフラッシュメモリ２１３に記憶し、処理をステップＳ１１０に進める。ステップＳ１１０においては、ステップＳ１０７において受信された遠隔操作画面を表示部２１６に表示し、処理をステップＳ１１１に進める。ステップＳ１０７において、ＭＦＰ１００から遠隔操作画面を受信した時点で、携帯情報装置２００とＭＦＰ１００との間で通信が確立する。
【０１０７】
ステップＳ１１１においては、操作を受け付けたか否かを判断する。操作部２１７にユーザーが操作を入力したか否かを判断する。操作を受け付けたならば処理をステップＳ１１２に進めるが、そうでなければ処理をステップＳ１１５に進める。ステップＳ１１２においては、ステップＳ１１１において受け付けられた操作が、終了指示か否かを判断する。操作部２１７において、終了指示が予め割り当てられたキーが押下される場合、終了指示を受け付ける。終了指示を受け付けたならば処理をステップＳ１１３に進めるが、そうでなければ処理をステップＳ１１４に進める。ステップＳ１１３においては、ＭＦＰ１００に終了コマンドを送信し、処理を終了する。ここでは、終了コマンドを含む遠隔操作を、無線ＬＡＮＩ／Ｆ２１８を介してＭＦＰ１００に送信する。
【０１０８】
ステップＳ１１４においては、ＭＦＰ１００に、ステップＳ１１１において受け付けられた操作により特定される遠隔操作を送信し、処理をステップＳ１０７に戻す。遠隔操作は、ステップＳ１１０において表示された遠隔操作画面と、操作部２１７において受け付けられた操作によって特定される。
【０１０９】
ステップＳ１１５においては、切断通知を受信したか否かを判断する。無線ＬＡＮＩ／Ｆ２１８がＭＦＰ１００から切断通知を受信したならば処理をステップＳ１１６に進めるが、そうでなければ処理をステップＳ１１１に戻す。ステップＳ１１６においては、復帰指示処理を実行し、処理をステップＳ１０６に戻す。
【０１１０】
図１０は、第１の実施の形態における復帰指示処理の流れの一例を示すフローチャートである。復帰指示処理は、図９のステップＳ１１６で実行される処理である。図１０を参照して、スリープ用遠隔操作画面を受信したか否かを判断する（ステップＳ１５１）。無線ＬＡＮＩ／Ｆ２１８がＭＦＰ１００からスリープ用遠隔操作画面を受信するまで待機状態となり（ステップＳ１５１でＮＯ）、スリープ用遠隔操作画面を受信すると（ステップＳ１５１でＹＥＳ）、処理をステップＳ１５２に進める。
【０１１１】
ステップＳ１５２においては、スリープ用遠隔操作画面を表示部２１６に表示し、処理をステップＳ１５３に進める。ステップＳ１５３においては、操作を受け付けたか否かを判断する。操作部２１７にユーザーが操作を入力したか否かを判断する。操作を受け付けるまで待機状態となり（ステップＳ１５３でＮＯ）、操作を受け付けたならば（ステップＳ１５３でＹＥＳ）、処理をステップＳ１５４に進める。
【０１１２】
ステップＳ１５４においては、受け付けられた操作が所定の操作か否かを判断する。所定の操作ならば処理をステップＳ１５５に進めるが、そうでなければ処理をステップＳ１５７に進める。所定の操作は、スリープ用遠隔操作画面が、ＭＦＰ１００の操作部１６３が備えるキーボードを模した複数のキー画像を含む場合、複数のキー画像のうちで予め定められたキー画像を指示する操作である。予め定められたキー画像は、例えば、電源キーを模したキー画像３０３Ａである。なお、所定の操作を、操作部２１７が受け付けることのできる複数の操作のいずれかとしてもよい。例えば、操作部２１７が備える複数のハードキーのいずれかを押下する操作、タッチパネル２１７Ａの任意の位置を指示する操作である。この場合には、ステップＳ１５４、ステップＳ１５７〜ステップＳ１６１は不要であり、ステップＳ１５３において操作を受け付ける場合に、ステップＳ１５５〜ステップＳ１５６を実行する。
【０１１３】
ステップＳ１５５においては、フラッシュメモリ２１３に記憶されて認証情報を読み出す。図９に示した遠隔制御処理のステップＳ１０９においてフラッシュメモリ２１３に記憶された認証情報、換言すれば、携帯情報装置２００を操作するユーザーが、ＭＦＰ１００を遠隔操作するために携帯情報装置２００に入力した認証情報を読み出す。次のステップＳ１５６においては、第２の認証要求をＭＦＰ１００に送信し、処理を遠隔制御処理に戻す。第２の認証要求は、ステップＳ１５５において読み出された認証情報を含む。ＭＦＰ１００においては、図８に示した遠隔操作実行処理のステップＳ０１において、第２の認証要求を受信する場合、ステップＳ０８が実行されて、スリープ用遠隔操作画面が送信される直前に送信された遠隔操作画面を送信する。このため、図９に示した遠隔制御処理において、ステップＳ１１６の復帰指示処理の次に実行されるステップＳ１０７において、スリープ用遠隔操作画面が受信される直前に受信されていた遠隔操作画面が、再度受信され、ステップＳ１１０において表示部２１６に表示される。このため、スリープ用遠隔操作画面が表示される前に表示されていた遠隔操作画面が表示されるので、認証用画面が表示されることなく、認証情報を再度入力する必要がない。また。遠隔操作を継続して入力することができる。
【０１１４】
一方、ステップＳ１５７においては、第１の認証要求を送信する。ＭＦＰ１００に無線ＬＡＮＩ／Ｆ２１８を介して第１の認証要求を送信する。第１の認証要求は、認証用の遠隔操作画面の送信を要求する送信要求であり、認証情報を含まない。第１の認証要求を受信するＭＦＰ１００は、認証用画面を送信するので、次のステップＳ１５８において認証用画面を受信する。
【０１１５】
ステップＳ１５８においては、認証用画面を受信するまで待機状態となり、認証用画面を受信すると処理をステップＳ１５９に進める。ステップＳ１５９においては、受信された認証用画面を表示部２１６に表示する。
【０１１６】
次に、認証情報を受け付けたか否かを判断する（ステップＳ１６０）。認証情報を受け付けるまで待機状態となり、認証情報を受け付けると処理をステップＳ１６１に進める。ステップＳ１６１においては、ＭＦＰ１００に認証情報を送信する。ここでは、ステップＳ１６０において受け付けられた認証情報で認証させる遠隔操作を、無線ＬＡＮＩ／Ｆ２１８を介してＭＦＰ１００に送信する。認証情報で認証させる遠隔操作を受信するＭＦＰ１００は、認証情報を用いてユーザーを認証し、認証に成功する場合は遠隔操作画面を送信するが、認証に失敗する場合はエラー画面を送信する。
【０１１７】
以上説明したように第１の実施の形態における画像形成システム１において、ＭＦＰ１００は、携帯情報装置２００に認証用画面を送信した後に携帯情報装置２００から受信される認証情報で遠隔操作ユーザーを認証し、遠隔操作ユーザーが認証された後に、所定時間継続して遠隔操作を受信しない場合、または、動作モードを省電力モードに切り換える場合、携帯情報装置２００に通信を切断することを通知した後、携帯情報装置との間で確立されていた通信を切断し、通信を終了する。一方、携帯情報装置２００は、ＭＦＰ１００から受信される認証用画面に従って遠隔操作ユーザーにより入力される認証情報を受け付ける場合、認証情報を一時記憶し、その後、遠隔操作画面が表示されている状態で、ＭＦＰ１００から通信を切断することが通知された後に所定の操作が受け付けられることに応じて、記憶された認証情報をＭＦＰ１００に送信する。このため、携帯情報装置２００を操作する遠隔操作ユーザーは、認証情報を入力した後にＭＦＰ１００を遠隔操作している間に、ＭＦＰ１００側で通信を切断する場合、携帯情報装置２００に所定の操作を入力すれば、認証情報が送信される。このため、携帯情報装置２００を操作する遠隔操作ユーザーは、認証情報を入力した後にＭＦＰ１００を遠隔操作している間にＭＦＰ１００側で通信を切断する場合、携帯情報装置２００に認証情報を再度入力する必要がない。このため、ＭＦＰ１００でログインが許可された後に、ＭＦＰ１００側で通信を切断する場合に、再度ログインする操作を省略することができ、遠隔操作を容易にすることができる。
【０１１８】
また、ＭＦＰ１００は、遠隔操作ユーザーのログインを許可している間に、通常モードから省電力モードに動作モードを切り換える場合、携帯情報装置２００に通信を切断することを通知した後、通信を終了する。このため、ＭＦＰ１００が省電力モードに動作モードを切り換えた後の遠隔操作を容易にすることができる。
【０１１９】
また、ＭＦＰ１００は、遠隔操作ユーザーのログインを許可した後に、携帯情報装置２００から所定時間継続して遠隔操作を受信しない場合、携帯情報装置２００に通信を切断することを通知した後、通信を終了する。このため、遠隔操作ユーザーが遠隔操作を入力することなく所定時間経過した後の遠隔操作を容易にすることができる。
【０１２０】
また、ＭＦＰ１００は、携帯情報装置２００に通信を切断することを通知する場合、スリープ画面を含む遠隔操作画面を生成し、送信するので、携帯情報装置２００において、スリープ画面を含む遠隔操作画面が表示される。このため、遠隔操作ユーザーは、遠隔操作画面を見て、ＭＦＰ１００を遠隔操作中であることを知ることができ、スリープ画面を見て、ＭＦＰ１００との間の通信が切断されたことを知ることができる。
【０１２１】
さらに、ＭＦＰ１００は、携帯情報装置２００との間の通信を終了する直前に送信した遠隔操作画面と遠隔操作ユーザーの認証情報とを関連付け、ＭＦＰ１００は、携帯情報装置２００から受信される認証情報に従った認証に成功する場合、携帯情報装置２００から受信される認証情報と同じ認証情報と関連付けられた遠隔操作画面を携帯情報装置２００に送信する。このため、ＭＦＰ１００と携帯情報装置２００との間の通信を終了する直前に送信した遠隔操作画面を携帯情報装置２００に表示させることができる。このため、ＭＦＰ１００と携帯情報装置２００との間の通信を終了する直前の状態に戻すことができる。
【０１２２】
また、遠隔操作画面は、ＭＦＰ１００が備える操作パネル１６０を模した画像を含むので、操作部１６３が含む複数の操作キーそれぞれに対応する複数のキー画像を含む。携帯情報装置２００は、携帯情報装置２００において表示される遠隔操作画面に含まれる複数の操作キーのうち予め定められた操作キーに対応するキー画像がユーザーにより指示されることに応じて、所定の操作を検出する。このため、携帯情報装置２００とＭＦＰ１００との間の通信が切断される前の状態に戻す操作を容易にすることができる。
【０１２３】
また、携帯情報装置２００は、スリープ用遠隔操作画面を表示していり間に、操作部２１７に任意の操作が入力されると、所定の操作を検出する。このため、携帯情報装置２００とＭＦＰ１００との間の通信が切断される前の状態に戻す操作を容易にすることができる。
【０１２４】
＜第２の実施の形態＞
上述した第１の実施の形態における画像形成システム１においては、ＭＦＰ１００においてスリープ画面を含むスリープ用遠隔操作画面を生成するようにしたが、第２の実施の形態における画像形成システム１Ａは、携帯情報装置２００においてスリープ画面を生成し、表示する点で、第１の実施の形態における画像形成システム１と異なる。以下、第１の実施の形態における画像形成システム１と異なる点を主に説明する。
【０１２５】
第２の実施の形態における画像形成システム１Ａのシステム構成は、図１に示した第１の実施の形態における画像形成システム１のシステム構成と同じである。また、ＭＦＰ１００，１００Ａ，１００Ｂのハードウエア構成は、図２に示したハードウエア構成と同じであり、携帯情報装置２００のハードウエア構成は、図３に示したハードウエア構成と同じである。したがって、ここでは説明を繰り返さない。
【０１２６】
図１１は、ＭＦＰが備えるＣＰＵが有する機能の一例を示す図である。図１１に示す機能は、ＭＦＰ１００が備えるＣＰＵ１１１が、ＲＯＭ１１３、ＥＥＰＲＯＭ１１５、ＨＤＤ１１６またはＣＤ−ＲＯＭ１１９Ａに記憶された遠隔操作実行プログラムを実行することにより、ＣＰＵ１１１に形成される機能である。図１１を参照して、図４に示した機能と異なる点は、直前画面関連付部５９およびスリープ画面生成部６９が削除された点、一時停止部６１および復帰部６３が一時停止部６１Ａおよび復帰部６３Ａにそれぞれ変更された点である。他の機能は、図４に示した機能と同じなのでここでは説明を繰り返さない。
【０１２７】
一時停止部６１Ａは、遠隔操作認証部５７により遠隔操作ユーザーが認証された後に、予め定められた一時停止条件が成立すると、携帯情報装置２００に通信を切断することを通知した後、携帯情報装置２００との間で確立された通信を切断する。具体的には、一時停止部６１Ａは、遠隔操作認証部５７から認証情報が入力され、遠隔操作画面送信部５１から画面識別情報が入力され、遠隔操作受信部５３から遠隔操作を受信したことを示す操作受信信号が入力され、動作モード切換部６７から動作モードが入力される。一時停止条件は、第１の条件と第２の条件を含む。一時停止部６１Ａは、遠隔操作画面送信部５１から画面識別情報が入力された後、所定時間継続して遠隔操作受信部５３から操作受信信号が入力されない場合、第１の条件が成立したと判断する。また、一時停止部６１は、動作モード切換部６７から操作モードを通常モードから省電力モードに切り換える切り換え信号が入力されると、第２の条件が成立したと判断する。
【０１２８】
一時停止部６１Ａは、一時停止条件が成立する場合、遠隔操作認証部５７から入力される認証情報をＨＤＤ１１６に記憶し、通信Ｉ／Ｆ部１１２を制御して、携帯情報装置２００に通信を切断することを通知した後、携帯情報装置２００との間で確立されている通信を切断させる。
【０１２９】
復帰部６３Ａは、遠隔操作認証部５７から認証情報が入力される。復帰部６３Ａは、遠隔操作認証部５７から認証情報が入力される場合、遠隔操作認証部５７から入力される認証情報と同じ認証情報が、ＨＤＤ１１６に記憶されているか否かを判断する。復帰部６３Ａは、遠隔操作認証部５７から入力される認証情報と同じ認証情報が、ＨＤＤ１１６に記憶されているならば、通信Ｉ／Ｆ部１１２を制御して携帯情報装置２００との間の通信を確立する。
【０１３０】
一方、遠隔操作認証部５７によって、第２の認証要求が受信される場合、携帯情報装置２００は、第２の認証要求とともに画面識別情報を送信する。このため、復帰部６３Ａは、通信Ｉ／Ｆ部１１２を制御して、携帯情報装置２００が送信する画面識別情報を受信する。さらに、復帰部６３Ａは、携帯情報装置２００から受信した画面識別情報を遠隔操作画面送信部５１に出力する。遠隔操作画面送信部５１は、遠隔操作認証部５７から送信指示が入力されている場合であって、復帰部６３Ａから画面識別情報が入力される場合は、画面識別情報で特定される遠隔操作画面を、通信Ｉ／Ｆ部１１２を介して携帯情報装置２００に送信する。
【０１３１】
図１２は、第２の実施の形態における携帯情報装置が備えるＣＰＵが有する機能の一例を示す図である。図１２に示す機能は、携帯情報装置２００が備えるＣＰＵ２１１が、フラッシュメモリ２１３に記憶され、ＭＦＰ１００を遠隔制御するためのアプリケーションプログラムである遠隔制御プログラムを実行することにより、ＣＰＵ２１１に形成される機能である。
【０１３２】
図１２を参照して、図７に示した機能と異なる点は、スリープ通知部２６３が追加された点、一時記憶部２５７および復帰指示部２５９が一時記憶部２５７Ａおよび復帰指示部２５９Ａにそれぞれ変更された点である。他の機能は、図７に示した機能と同じなのでここでは説明を繰り返さない。
【０１３３】
一時記憶部２５７Ａは、遠隔操作ユーザーにより入力される認証情報と、最後に表示された遠隔操作画面を識別するための画面識別情報とを関連付けてフラッシュメモリ２１３に一時記憶する。一時記憶部２５７Ａは、操作受付部２５３から認証情報が入力された後に、遠隔操作画面表示部２５１から通信が確立したことが通知されると、操作受付部２５３から入力される認証情報をフラッシュメモリ２１３に一時記憶する。また、一時記憶部２５７Ａは、遠隔操作画面表示部２５１により表示されている遠隔操作画面の画面識別情報を、フラッシュメモリ２１３に認証情報と関連付けて記憶する。一時記憶部２５７Ａは、遠隔操作画面表示部２５１により表示される遠隔操作画面が切り換わるごとに、画面識別情報を更新する。
【０１３４】
スリープ通知部２６３は、切断通知受信部２６１から切断通知が入力される。切断通知受信部２６１は、無線ＬＡＮＩ／Ｆ２１８がＭＦＰ１００から通信を切断することの通知を受信すると、切断通知をスリープ通知部２６３および復帰指示部２５９に出力する。スリープ通知部２６３は、切断通知が入力されると、スリープ画面を表示部２１６に表示する。表示部２１６には、遠隔操作画面が表示されているので、遠隔操作画面の所定の領域にスリープ画面を表示する。このため、遠隔操作ユーザーは、表示部２１６に表示された遠隔操作画面に含まれるスリープ画面を見て、遠隔操作中のＭＦＰ１００との間で確立していた通信が切断されたことを知ることができる。
【０１３５】
復帰指示部２５９Ａは、遠隔操作画面表示部２５１から遠隔操作画面を表示していることを示す信号が入力されている状態で、切断通知受信部２６１から切断通知が入力された後に操作受付部２５３から入力される操作が所定の操作の場合、一時記憶部２５７によりフラッシュメモリ２１３に記憶された認証情報と画面識別情報との組を読み出し、認証情報を含む第２の認証要求と画面識別情報とを、無線ＬＡＮＩ／Ｆ２１８を介してＭＦＰ１００に送信する。
【０１３６】
上述したように、ＭＦＰ１００においては、遠隔操作認証部５７が第２の認証要求と画面識別情報とを受信する場合、遠隔操作画面送信部５１が、画面識別情報で識別される遠隔操作画面を返信する。画面識別情報で特定される遠隔操作画面は、通信が切断される直前、換言すればＭＦＰ１００において一時停止条件が成立する直前に、携帯情報装置２００に送信された遠隔操作画面である。このため、遠隔操作ユーザーは、携帯情報装置２００に所定の操作を入力すれば、通信が切断される直前に表示されていた遠隔操作画面が表示されるので、携帯情報装置２００とＭＦＰ１００との間の通信が切断される前に表示されていた遠隔操作画面に従って、遠隔操作を継続して入力することができる。
【０１３７】
所定の操作は、遠隔操作画面が、ＭＦＰ１００の操作部１６３が備えるキーボードを模した複数のキー画像を含む場合、複数のキー画像のうちで予め定められたキー画像を指示する操作である。例えば、予め定められたキー画像は、電源キーを模したキー画像３０３Ａである。また、所定の操作は、操作部２１７が受け付けることのできる複数の操作のいずれであってもよい。例えば、操作部２１７が備える複数のハードキーのいずれかを押下する操作、タッチパネル２１７Ａの任意の位置を指示する操作である。
【０１３８】
図１３は、第２の実施の形態における遠隔操作実行処理の流れの一例を示すフローチャートである。遠隔操作実行処理は、ＭＦＰ１００が備えるＣＰＵ１１１が、ＲＯＭ１１３、ＥＥＰＲＯＭ１１５、ＨＤＤ１１６またはＣＤ−ＲＯＭ１１９Ａに記憶された遠隔操作実行プログラムを実行することにより、ＣＰＵ１１１により実行される処理である。図１３を参照して、図８に示した第１の実施の形態における遠隔操作実行処理と異なる点は、ステップＳ０２とステップＳ０５との間にステップＳ０２Ａが追加された点、ステップＳ０８およびステップＳ１９が、ステップＳ０８ＡおよびステップＳ１９Ａにそれぞれ変更された点、ステップＳ２０が削除された点である。その他の処理は、図８に示した処理と同じなのでここでは説明を繰り返さない。
【０１３９】
処理がステップＳ０２Ａに進む場合は、ステップＳ０２において、ステップＳ０１において受信された認証要求が第２の認証要求と判断される場合である。ステップＳ０２Ａにおいては、画面識別情報を受信し、処理をステップＳ０５に進める。通信Ｉ／Ｆ部１１２を制御して、携帯情報装置２００が送信する画面識別情報を受信する。
【０１４０】
ステップＳ０８Ａにおいては、ステップＳ０２Ａにおいて携帯情報装置２００から受信された画面識別情報で識別される遠隔操作画面を特定し、処理をステップＳ１０に進める。ステップＳ１０においては、処理がステップＳ０８Ａから進む場合、ステップＳ０８Ａにおいて特定された遠隔操作画面を携帯情報総理２００に送信する。
【０１４１】
ステップＳ１９Ａにおいては、ステップＳ０６において認証に成功した認証情報を、ＲＡＭ１１４に一時記憶し、処理をステップＳ２１に進める。
【０１４２】
図１４は、第２の実施の形態における遠隔制御処理の流れの一例を示すフローチャートである。遠隔制御処理は、携帯情報装置２００が備えるＣＰＵ２１１が、フラッシュメモリ２１３に記憶された遠隔制御プログラムを実行することにより、ＣＰＵ２１１により実行される処理である。図１４を参照して、図９に示した第１の実施の形態における遠隔制御処理と異なる点は、ステップＳ１１０とステップＳ１１１との間にステップＳ１１０Ａが追加された点、ステップＳ１１６がステップＳ１１６Ａに変更された点である。その他の処理は、図９に示した処理と同じなのでここでは説明を繰り返さない。
【０１４３】
ステップＳ１１０Ａにおいては、ステップＳ１１０において表示された遠隔操作画面の画面識別情報を、ステップＳ１０９において記憶された認証情報と関連付けてフラッシュメモリ２１３に記憶し、処理をステップＳ１１１に進める。
【０１４４】
ステップＳ１１６Ａにおいては、第２の実施の形態における復帰指示処理を実行し、処理をステップＳ１０７に戻す。
【０１４５】
図１５は、第２の実施の形態における復帰指示処理の流れの一例を示すフローチャートである。第２の実施の形態における復帰指示処理は、図１４のステップＳ１１６Ａで実行される処理である。図１５を参照して、図１０に示した第１の実施の形態における復帰指示処理と異なる点は、ステップＳ１５１、ステップＳ１５２、ステップＳ１５５およびステップＳ１５６が、ステップＳ１５１Ａ、ステップＳ１５２Ａ、ステップＳ１５５ＡおよびステップＳ１５６Ａにそれぞれ変更された点である。その他の処理は、図１０に示した処理と同じなのでここでは説明を繰り返さない。
【０１４６】
ステップＳ１５１Ａにおいては、スリープ画面を生成する。スリープ画面は、予め定められたサイズの無地の画像を含む。例えば、ＭＦＰ１００から受信される遠隔操作画面にＭＦＰ１００が備える表示部１６１の表示面を模した画像が含まれる場合、表示部１６１の表示面を模した画像と同じサイズの無地の画像を、スリープ画面とする。
【０１４７】
次のステップＳ１５２Ａにおいては、生成されたスリープ画面を、表示部２１６に表示されている遠隔操作画面に重畳して表示する。具体的には、ＭＦＰ１００から受信される遠隔操作画面にＭＦＰ１００が備える表示部１６１の表示面を模した画像に重畳してスリープ画面を表示する。これにより、表示部１６１の表示面を模した画像が、スリープ画面に置き換えられて表示されるので、遠隔操作ユーザーは、遠隔操作画面を見てＭＦＰ１００を遠隔操作中であることを知ることができ、スリープ画面を見て、ＭＦＰ１００との通信が切断されていることを知ることができる。
【０１４８】
ステップＳ１５５Ａにおいては、フラッシュメモリ２１３に記憶された認証情報と画像識別情報を読み出す。図１４に示した第２の実施の形態における遠隔制御処理のステップＳ１０９においてフラッシュメモリ２１３に記憶された認証情報と、ステップＳ１１０Ａにおいて認証情報と関連付けられた画面識別情報とを読み出す。画面識別情報は、ＭＦＰ１００との間の通信が切断され、スリープ画面が表示される直前に表示されていた遠隔操作画面を識別するための情報である。
【０１４９】
ステップＳ１５６においては、第２の認証要求と画面識別情報とをＭＦＰ１００に送信し、処理を遠隔制御処理に戻す。第２の認証要求は、ステップＳ１５５Ａにおいて読み出された認証情報を含む。ＭＦＰ１００においては、図１３に示した遠隔操作実行処理のステップＳ０１において、第２の認証要求を受信する場合、ステップＳ０８Ａが実行されて、携帯情報装置２００が送信した画面識別情報で識別される遠隔操作画面を送信する。このため、図１４に示した第２の実施の形態における遠隔制御処理において、ステップＳ１１６Ａの復帰指示処理の次に実行されるステップＳ１０７において、通信が切断される直前に受信されていた遠隔操作画面が再度受信され、ステップＳ１１０において表示部２１６に表示される。このため、スリープ画面が表示される前に表示されていた遠隔操作画面が表示されるので、認証用画面が表示されることなく、認証情報を再度入力する必要がない。また。遠隔操作を継続して入力することができる。
【０１５０】
第２の実施の形態における画像形成システム１Ａにおいて、携帯情報装置２００は、ＭＦＰ１００から通信を切断することが通知される場合、表示されている遠隔操作画面の一部に予め定められたスリープ画面を表示する。このため、遠隔操作ユーザーは、遠隔操作画面を見て、ＭＦＰ１００を遠隔操作中であることを知ることができ、スリープ画面を見て、ＭＦＰ１００との間の通信が切断されたことを知ることができる。
【０１５１】
さらに、携帯情報装置２００は、ＭＦＰ１００との間の通信を終了する直前に受信された遠隔操作画面と遠隔操作ユーザーの認証情報とを関連付け、携帯情報装置２００は、所定の操作を受け付ける場合、認証情報と、それに関連付けられた遠隔操作画面の画面識別情報とをＭＦＰ１００に送信する。このため、ＭＦＰ１００においては、携帯情報装置２００から受信される認証情報に従った認証に成功する場合、認証情報とともに受信される画面識別情報で特定される遠隔操作画面を携帯情報装置２００に送信する。このため、ＭＦＰ１００と携帯情報装置２００との間の通信を終了する直前に送信した遠隔操作画面を携帯情報装置２００に表示させることができる。このため、ＭＦＰ１００と携帯情報装置２００との間の通信を終了する直前の状態に戻すことができる。
【０１５２】
なお、上述した実施の形態においては、画像形成システム１、１Ａについて説明したが、図８または図１３に示した遠隔操作実行処理をＭＦＰ１００、１００Ａ，１００Ｂに実行させ、図９および図１０に示した遠隔制御処理または図１４および図１５に示した遠隔制御処理を携帯情報装置２００に実行させる遠隔制御方法として発明を捉えることができるのは言うまでもない。さらに、図８または図１３に示した遠隔操作実行処理をＭＦＰ１００、１００Ａ，１００Ｂそれぞれが備えるＣＰＵ１１１に実行させる遠隔操作実行プログラム、図９および図１０に示した遠隔制御処理または図１４および図１５に示した遠隔制御処理を携帯情報装置２００が備えるＣＰＵ２１１に実行させる遠隔制御プログラムとして発明を捉えることができるのは言うまでもない。
【０１５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５４】
１  画像形成システム、２００  携帯情報装置、１００，１００Ａ，１００Ｂ，１００Ｃ  ＭＦＰ、３  ネットワーク、５  無線局、、２００  携帯情報装置、５１  遠隔操作画面送信部、５３  遠隔操作受信部、５５  遠隔操作実行部、５７  遠隔操作認証部、５９  直前画面関連付部、６１，６１Ａ  一時停止部、６３，６３Ａ  復帰部、６５  操作受付部、６７  動作モード切換部、６９  スリープ画面生成部、１１０  メイン回路、１１１  ＣＰＵ、１１２  通信Ｉ／Ｆ部、１１３  ＲＯＭ、１１４  ＲＡＭ、１１５  ＥＥＰＲＯＭ、１１６  ＨＤＤ、１１７  ファクシミリ部、１１９  外部記憶装置、１１９Ａ  ＣＤ−ＲＯＭ、１２０  自動原稿搬送装置、１３０  原稿読取部、１４０  画像形成部、１５０  給紙部、１５５  後処理部、１６０  操作パネル、１６１  表示部、１６３  操作部、１６５  タッチパネル、２１１  ＣＰＵ、２１２  カメラ、２１３  フラッシュメモリ、２１４  無線通信部、２１５  通話部、２１６  表示部、２１７  操作部、２１７Ａ  タッチパネル、２１８  無線ＬＡＮＩ／Ｆ、２５１  遠隔操作画面表示部、２５３  操作受付部、２５５  遠隔操作送信部、２５７，２５７Ａ  一時記憶部、２５９，２５９Ａ  復帰指示部、２６１  切断通知受信部、２６３  スリープ通知部。
【図１】
0005862432.tif 000002
【図２】
0005862432.tif 000003
【図３】
0005862432.tif 000004
【図４】
0005862432.tif 000005
【図５】
0005862432.tif 000006
【図６】
0005862432.tif 000007
【図７】
0005862432.tif 000008
【図８】
0005862432.tif 000009
【図９】
0005862432.tif 000010
【図１０】
0005862432.tif 000011
【図１１】
0005862432.tif 000012
【図１２】
0005862432.tif 000013
【図１３】
0005862432.tif 000014
【図１４】
0005862432.tif 000015
【図１５】
0005862432.tif 000016